【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
撮影方向を制御可能な撮像手段から出力された画像データからアスペクト比の異なる画像データを生成して配信手段により配信する撮影制御装置であって、
前記撮像手段によって撮影可能な範囲のうち前記配信手段による配信が許可される範囲を設定する設定手段と、
前記設定手段により設定された範囲に基づいて前記撮像手段の撮影方向を制御する制御手段と、
前記制御された撮影方向を撮影した前記撮像手段から出力された画像データを用いて、前記設定手段により設定された範囲の配信が許可されるように、前記アスペクト比の異なる画像データを生成する生成手段と、
を備え、
前記配信手段は、生成された前記アスペクト比の異なる画像データを配信することを特徴とする撮影制御装置。
【請求項２】
撮影方向を制御可能な撮像手段から出力された画像データからアスペクト比の異なる画像データを生成して配信手段により配信する撮影制御装置であって、
前記撮像手段によって撮影可能な範囲のうち前記配信手段による配信が許可される範囲を設定する設定手段と、
前記設定手段により設定された範囲に基づいて前記撮像手段の撮影方向を制御する制御手段と、
前記制御された撮影方向を撮影した前記撮像手段から出力された画像データに所定の画素数の画像を付加して所定のアスペクト比の画像データを生成する生成手段と、
を備え、
前記配信手段は、生成された前記所定のアスペクト比の画像データを配信することを特徴とする撮影制御装置。
【請求項３】
撮影方向を制御可能な撮像手段から出力された画像データからアスペクト比の異なる画像データを生成して配信手段により配信する撮影制御装置であって、
前記撮像手段によって撮影可能な範囲のうち前記配信手段による配信が許可される範囲を設定する設定手段と、
前記設定手段により設定された範囲に基づいて前記撮像手段の撮影方向を制御する制御手段と、
前記制御された撮影方向を撮影して前記撮像手段から出力された画像データからトリミングする範囲を、所定のアスペクト比で、前記設定手段により設定された範囲の配信が許可されるように調整する調整手段と、
前記制御された撮影方向を撮影した前記撮像手段から出力された画像データから前記調整手段により調整された範囲をトリミングするトリミング手段と、
を備え、
前記配信手段は、前記調整手段により調整された範囲が前記トリミング手段によりトリミングされた画像データを配信することを特徴とする撮影制御装置。
【請求項４】
撮影方向を制御可能な撮像手段から出力された画像データからアスペクト比の異なる画像を生成して配信手段により配信する撮影制御装置の画像配信方法であって、
設定手段が、前記撮像手段によって撮影可能な範囲のうち前記配信手段による配信が許可される範囲を設定する設定工程と、
制御手段が、前記設定手段により設定された範囲に基づいて前記撮像手段の撮影方向を制御する制御工程と、
生成手段が、前記制御された撮影方向を撮影した前記撮像手段から出力撮像された画像データを用いて、前記設定手段により設定された範囲の配信が許可されるように、前記アスペクト比の異なる画像データを生成する生成工程と、
配信手段が、生成された前記アスペクト比の異なる画像データを配信する配信工程と、
を有することを特徴とする撮影制御装置の画像配信方法。
【請求項５】
撮影方向を制御可能な撮像手段から出力された画像データからアスペクト比の異なる画像データを生成して配信手段により配信する撮影制御装置の画像配信方法であって、
設定手段が、前記撮像手段によって撮影可能な範囲のうち前記配信手段による配信が許可される範囲を設定する設定工程と、
制御手段が、前記設定手段により設定された範囲に基づいて前記撮像手段の撮影方向を制御する制御工程と、
生成手段が、前記制御された撮影方向を撮影した前記撮像手段から出力された画像データに所定の画素数の画像を付加して所定のアスペクト比の画像データを生成する生成工程と、を有し、
前記配信手段が、生成された前記所定のアスペクト比の画像データを配信することを特徴とする撮影制御装置の画像配信方法。
【請求項６】
撮影方向を制御可能な撮像手段から出力された画像データからアスペクト比の異なる画像データを生成して配信手段により配信する撮影制御装置の画像配信方法であって、
設定手段が、前記撮像手段によって撮影可能な範囲のうち前記配信手段による配信が許可される範囲を設定する設定工程と、
制御手段が、前記設定手段により設定された範囲に基づいて前記撮像手段の撮影方向を制御する制御工程と、
調整手段が、前記制御された撮影方向を撮影して前記撮像手段から出力された画像データからトリミングする範囲を、所定のアスペクト比で、前記設定手段により設定された範囲の配信が許可されるように調整する調整工程と、
トリミング手段が、前記制御された撮影方向を撮影した前記撮像手段から出力された画像データから前記調整手段により調整された範囲をトリミングするトリミング工程と、を有し、
前記配信手段は、前記調整手段により調整された範囲が前記トリミング手段によりトリミングされた画像データを配信する
ことを特徴とする撮影制御装置の画像配信方法。
【請求項７】
コンピュータを、請求項１乃至３のいずれか１項に記載の撮影制御装置の各手段として記載させるためのプログラム。
【手続補正２】
【補正対象書類名】明細書
【補正対象項目名】発明の名称
【補正方法】変更
【補正の内容】
【発明の名称】撮影制御装置、撮影制御装置の画像配信方法およびプログラム
【手続補正３】
【補正対象書類名】明細書
【補正対象項目名】０００１
【補正方法】変更
【補正の内容】
【０００１】
本発明は、撮影制御装置、撮影制御装置の画像配信方法およびプログラムに関する。
【手続補正４】
【補正対象書類名】明細書
【補正対象項目名】０００４
【補正方法】変更
【補正の内容】
【０００４】
しかしながら、上述の特許文献１に開示されたカメラ制御装置では、異なるアスペクト比の画像は作成されていない。特許文献１のカメラ制御装置によりアスペクト比の異なる画像を撮影しようとした場合、可視範囲制限領域外を撮影してしまうか、可視範囲制限領域の全体を撮影することができないなどの問題があった。
【手続補正５】
【補正対象書類名】明細書
【補正対象項目名】０００５
【補正方法】変更
【補正の内容】
【０００５】
本発明は、撮像手段から出力された画像データと異なるアスペクト比の画像を、可視範囲制限領域の外の画像を配信することなく、また可視範囲制限領域全体の画像を配信可能にした撮影制御技術を提供することを目的とする。
【手続補正６】
【補正対象書類名】明細書
【補正対象項目名】０００６
【補正方法】変更
【補正の内容】
【０００６】
上記目的を達成する本発明の一つの側面に係る撮影制御装置は、撮影方向を制御可能な撮像手段から出力された画像データからアスペクト比の異なる画像データを生成して配信手段により配信する撮影制御装置であって、前記撮像手段によって撮影可能な範囲のうち前記配信手段による配信が許可される範囲を設定する設定手段と、前記設定手段により設定された範囲に基づいて前記撮像手段の撮影方向を制御する制御手段と、前記制御された撮影方向を撮影した前記撮像手段から出力された画像データを用いて、前記設定手段により設定された範囲の配信が許可されるように、前記アスペクト比の異なる画像データを生成する生成手段と、を備え、前記配信手段は、生成された前記アスペクト比の異なる画像データを配信することを特徴とする。
【手続補正７】
【補正対象書類名】明細書
【補正対象項目名】０００７
【補正方法】変更
【補正の内容】
【０００７】
本発明によれば、撮像手段から出力された画像データと異なるアスペクト比の画像を、可視範囲制限領域の外の画像を配信することなく、また可視範囲制限領域全体の画像を配信することができる。